(57)【要約】【課題】  第２の筐体のとくに表示部に指を当てなくとも、この第２の筐体を第１の筐体に対してスライドさせて開くことのできる開閉装置並びにこの開閉装置を用いた携帯機器を提供すること。【解決手段】  上面に操作部を有する第１の筐体と、上面に表示部を有する第２の筐体とを、相対的に水平方向へスライド可能に連結させ前記第２の筐体で前記第１の筐体の上面を覆う閉成状態と、前記第１の筐体の上面を露出させる開成状態とを作り出す開閉装置であって、前記第１の筐体に対してスライド可能に取り付けた操作スライド手段と、前記第２の筐体の下面に取り付けられ前記操作スライド手段のスライド操作を契機として、その開成方向へスライドさせられる開閉スライド手段とで構成することにより解決した。【選択図】        図１４
2011004179.tif 000002
【特許請求の範囲】
【請求項１】
上面に操作部を有する第１の筐体と、上面に表示部を有する第２の筐体とを、相対的に水平方向へスライド可能に連結させ前記第２の筐体で前記第１の筐体の上面を覆う閉成状態と、前記第１の筐体の上面を露出させる開成状態とを作り出す開閉装置であって、前記第１の筐体に対してスライド可能に取り付けた操作スライド手段と、前記第２の筐体の下面に取り付けられ前記操作スライド手段のスライド操作を契機として、その開成方向へスライドさせられる開閉スライド手段とで構成したことを特徴とする、開閉装置。
【請求項２】
前記操作スライド手段は、前記第１の筐体に取り付けたキープレートに対して操作スライド可能に取り付けた操作スライドプレートを有し、前記開閉スライド手段は、前記キープレートに対しメイン弾性手段を作用させて開閉スライド可能に取り付けた開閉スライドプレートを有し、この開閉スライドプレートへ第２の筐体を取り付けると共に、前記操作スライドプレートのスライド操作により前記開閉スライドプレートを開成方向へスライドさせ、しかる後自動的に開閉スライドプレートが開成方向へスライドさせられるように成したことを特徴とする、請求項１に記載の開閉装置。
【請求項３】
前記操作スライドプレートはガイドピンを介して前記開閉スライドプレートに設けた湾曲ガイド溝とスライド可能に係合し、前記開閉スライドプレートは第１の筐体側に取り付けたガイドピンをそれ自身に設けたガイド溝と開閉方向へスライド可能に係合しており、メイン弾性手段を前記開閉スライドプレートと前記湾曲ガイド溝にスライド可能に係合させたガイドピンとの間に弾設させると共に、前記湾曲ガイド溝には当該湾曲ガイド溝とスライド可能に係合しているガイドピンを係止する凹部を設けたことを特徴とする、請求項２に記載の開閉装置。
【請求項４】
前記操作スライド手段は、前記第１の筐体に取り付けたキープレートに対しサブ弾性手段を作用させて操作スライド可能に取り付けた操作スライドプレートを有し、前記開閉スライド手段は、前記キープレートに対しメイン弾性手段を作用させて開閉スライド可能に取り付けた開閉スライドプレートを有し、この開閉スライドプレートへ第２の筐体を取り付けると共に、前記操作スライドプレートのスライド操作により前記開閉スライドプレートを開成方向へスライドさせ、しかる後自動的に開閉スライドプレートが開成方向へスライドさせられるように成したことを特徴とする、請求項１に記載の開閉装置。
【請求項５】
前記操作スライドプレートと前記開閉スライドプレートに作用させた前記サブ弾性手段とメイン弾性手段は、前記操作スライドプレートと前記開閉スライドプレートとをそれぞれ所定のスライド位置より開成方向と閉成方向へスライド付勢するように構成されていることを特徴とする、請求項２に記載の開閉装置。
【請求項６】
前記操作スライド手段により前記開閉スライドプレートを開成方向へスライドさせるに当り、前記操作スライドプレートに取り付けたガイドピンと係合する湾曲ガイド溝を前記開閉スライドプレートに設けたことを特徴とする、請求項２に記載の開閉装置。
【請求項７】
前記開閉スライドプレートと前記第２の筐体の間には、大カバーを介在させてあることを特徴とする、請求項１〜４のいずれか１項に記載の開閉装置。
【請求項８】
請求項１乃至６に記載の開閉装置を備えたことを特徴とする、携帯機器。
【発明の詳細な説明】
【技術分野】
【０００１】
本発明は、携帯機器に実施して好適な開閉装置に関し、さらに詳しくは携帯機器を構成する第１の筐体と第２の筐体を、当該第２の筐体に触れることなく第１の筐体に対して水平方向へスライドさせて開成できる、開閉装置に関する。
【背景技術】
【０００２】
従来、上面にキーボードのような操作部を有する第１の筐体に対して、同じく上面に液晶表示装置のような表示部を有する第２の筐体を、相対的にスライドさせて第２の筐体で第１の筐体の上面を覆う閉成状態と、第１の筐体の上面を露出させる開成状態とを作り出す携帯機器の開閉装置として、下記特許文献１に記載されたものが一般的に公知である。
【先行技術文献】
【特許文献】
【０００３】
【特許文献１】特開２００８−１０３９８９号公報
【発明の概要】
【発明が解決しようとする課題】
【０００４】
この特許文献１に記載された開閉装置は、第１の筐体に対して開いた第２の筐体を閉じる場合はそうでもないが、とくに閉成状態から第１の筐体に対して第２の筐体を開成しようとする場合、第２の筐体の表示部に指を当てて第１の筐体に対してスライドさせるために、どうしても表示部が汚れ易いという問題がある上に、表示部が例えば液晶表示装置の場合には、直に指で押したりすると、故障し易いという問題があった。最近の携帯機器は傾向として表示部を大きく取り、かつ、薄肉化が進んでいるので、この問題は早急に解決すべき課題となっている。
【０００５】
本発明の目的は、第２の筐体のとくに表示部に指を当てなくとも、この第２の筐体を第１の筐体に対してスライドさせて開くことのできる開閉装置並びにこの開閉装置を用いた携帯機器を提供せんとするにある。
【課題を解決するための手段】
【０００６】
上述した課題を達成するために本発明は、上面に操作部を有する第１の筐体と、上面に表示手段を有する第２の筐体とを、相対的に水平方向へスライド可能に連結させ前記第２の筐体で前記第１の筐体の上面を覆う閉成状態と、前記第１の筐体の上面を露出させる開成状態とを作り出す開閉装置であって、前記第１の筐体に対してスライド可能に取り付けた操作スライド手段と、前記第２の筐体の下面に取り付けられ前記操作スライド手段のスライド操作を契機として、その開成方向へスライドさせられる開閉スライド手段とで構成したことを特徴とする。
【０００７】
その際に本発明は、前記操作スライド手段を、前記第１の筐体に取り付けたキープレートに対して操作スライド可能に取り付けた操作スライドプレートを有するものとし、前記開閉スライド手段を、前記キープレートに対し弾性手段を作用させて開閉スライド可能に取り付けた開閉スライドプレートを有するものとし、この開閉スライドプレートへ第２の筐体を取り付けると共に、前記操作スライドプレートのスライド操作により前記開閉スライドプレートを開成方向へスライドさせ、しかる後自動的に開閉スライドプレートが開成方向へスライドさせるように成したものである。
【０００８】
本発明はさらに、前記操作スライドプレートをガイドピンを介して前記開閉スライドプレートに設けた湾曲ガイド溝とスライド可能に係合させ、前記開閉スライドプレートを第１の筐体側に取り付けたガイドピンとそれ自身に設けたガイド溝を開閉方向へスライド可能に係合させており、メイン弾性手段を前記開閉スライドプレートと前記湾曲ガイド溝にスライド可能に係合させたガイドピンとの間に弾設させると共に、前記湾曲ガイド溝には当該湾曲ガイド溝とスライド可能に係合しているガイドピンを係止する凹部を設けることができる。
【０００９】
本発明はまた、前記操作スライド手段を、前記第１の筐体に取り付けたキープレートに対しサブ弾性手段を作用させて操作スライド可能に取り付けた操作スライドプレートを有するものとし、前記開閉スライド手段を、前記キープレートに対しメイン弾性手段を作用させて開閉スライド可能に取り付けた開閉スライドプレートを有するものとし、この開閉スライドプレートへ第２の筐体を取り付けると共に、前記操作スライドプレートのスライド操作により前記開閉スライドプレートを開成方向へスライドさせ、しかる後自動的に開閉スライドプレートが開成方向へスライドさせられるように成したものである。
【００１０】
本発明はさらに、前記操作スライドプレートと前記開閉スライドプレートに作用させた前記サブ弾性手段とメイン弾性手段を、前記操作スライドプレートと前記開閉スライドプレートとをそれぞれ所定のスライド位置より開成方向と閉成方向へスライド付勢するように構成したものである。
【００１１】
本発明はさらに、前記操作スライド手段により前記開閉スライドプレートを開成方向へスライドさせるに当り、前記操作スライドプレートに取り付けたガイドピンと係合する湾曲ガイド溝を前記開閉スライドプレートに設けたことを特徴とする。
【００１２】
本発明はさらに、前記開閉スライドプレートと前記第２の筐体の間に、大カバーを介在させてあることを特徴とする。
【００１３】
そして本発明は、上記した開閉装置を備えた携帯機器とすることができる。
【発明の効果】
【００１４】
本発明は以上のように構成することにより、一方の手で第１の筐体を持ち、他方の手で操作部材をスライドさせることにより、第２の筐体は第１の筐体に対して開成方向へスライドし、後は自動的に第２の筐体が第１の筐体に対して開成方向へスライドして開かれるので、第２の筐体の表示部に手を触れなくとも、この第２の筐体を第１の筐体に対して開くことができ、閉じる際には第２の筐体の上側の側端部を元位置へ戻すように押すことにより、第２の筐体の表示部に手を触れなくとも第１の筐体に対して閉じることができるものである。
【図面の簡単な説明】
【００１５】
【図１（ａ）】本発明に係る開閉装置を実施した携帯機器の開閉操作時の動作を説明するためのもので、（ａ）は閉成状態を示す斜視図である。
【図１（ｂ）】本発明に係る開閉装置を実施した携帯機器の開閉操作時の動作を説明するためのもので、（ｂ）は操作スライド手段の操作時の状態を示す斜視図である。
【図１（ｃ）】本発明に係る開閉装置を実施した携帯機器の開閉操作時の動作を説明するためのもので、（ｃ）は操作スライド手段によって開成動作を開始した第２の筐体の状態を示す斜視図である。
【図１（ｄ）】本発明に係る開閉装置を実施した携帯機器の開閉操作時の動作を説明するためのもので、（ｄ）は第２の筐体の全開成状態を示す斜視図である。
【図２】本発明に係る開閉装置の開閉操作開始前の内部構造の状態を示す斜視図である。
【図３】本発明に係る開閉装置の開閉動作開始時の内部構造の状態を示す斜視図である。
【図４】本発明に係る開閉装置の開成動作終了時の内部構造の状態を示す斜視図である。
【図５】本発明に係る開閉装置の分解斜視図である。
【図６】本発明に係る開閉装置のサブ弾性手段の一端部と他端部を取り付ける取付ピンの正面図である。
【図７】本発明に係る開閉装置のメイン弾性手段の一端部を取り付ける取付ピンの正面図である。
【図８】本発明に係る開閉装置のメイン弾性手段の他端部を取り付ける第２ガイドピンの正面図である。
【図９】本発明に係る開閉装置のキープレートへ取り付ける取付ボス部の正面図である。
【図１０】本発明に係る開閉装置のローラの正面図である。
【図１１】本発明に係る開閉装置の他の実施例の内部構造を示す斜視図である。
【図１２】図１１に示した開閉装置の動作を説明する斜視図である。
【図１３】図１１に示した開閉装置の湾曲ガイド溝の一部拡大平面図である。
【図１４】図１１に示した開閉装置の分解斜視図である。
【図１５】図１１に示した開閉装置の固定ピンの正面図である。
【図１６】図１１に示した開閉装置の大型の弾性手段の端部を取り付けるガイドピンの正面図である。
【図１７】図１１に示した開閉装置の操作スライドプレートの斜視図である。
【図１８】図１１に示した開閉装置のシャッターカバーの斜視図である。
【発明を実施するための形態】
【００１６】
以下に説明する本発明に係る開閉装置は、上面にキーボードのような操作部を有する第１の筐体に対し、同じく上面に液晶表示装置のような表示部を有する第２の筐体を、互いに重ね合わせた状態から、第２の筐体をスライドさせて第１の筐体の上面の操作部を露出させて用いる携帯機器に用いて好適である。以下に本発明を携帯機器の一種である、ポケット型コンピュータに対して実施した場合を図面に基づいて詳細に説明するが、これは一例であって、本発明に係る開閉装置は、ポケット型コンピュータの他に、電子辞書、ゲーム機、携帯電話機等の携帯機器に対しても適用することができ、また、そのような開閉装置を用いた携帯機器とすることができる。
【実施例１】
【００１７】
図１〜図１０は、本発明に係る携帯機器の開閉装置の一実施例を示し、この実施例１に係る、例えばポケット型コンピュータからなる携帯機器１に実施した開閉装置Ａは、上面に操作部２ａを有する第１の筐体２と、上面に表示部３ａを有する第２の筐体３とを、相対的に水平方向へスライド可能に連結させ前記第２の筐体３で前記第１の筐体２の上面を覆う閉成状態と、前記第１の筐体２の上面を露出させる開成状態とを作り出す開閉装置であって、前記第１の筐体２に対してスライド可能に取り付けた操作スライド手段４と、前記第２の筐体３の下面に取り付けられ前記操作スライド手段４のスライド操作を契機として、その開成方向へスライドさせられる開閉スライド手段５とで構成したものである。
【００１８】
第１の筐体２にはその右側端部に第２の筐体３によって覆われない手持部２ｂが、第２の筐体３と同じ高さになるように隆起させて設けられている。尚、この手持部２ｂは、これがあると、後述する操作部材を持って第２の筐体３をその開成動作に向けて操作する場合に操作し易いが、なくとも第１の筐体２を手で持つことによって開成できる。
【００１９】
操作スライド手段４は、第１の筐体２の後部上面に取り付けた略Ｌ字状のキープレート７と、このキープレート７に対しスライド可能に取り付けた操作スライドプレート８と、この操作スライドプレート８をその上面に取り付けて第１の筐体２のガイド部２ｈに対し左方向へスライド可能に取り付けた操作部材６と、キープレート７と操作スライドプレート８との間に弾設した例えばスネークスプリングから成るサブ弾性手段１０と、操作スライドプレート８に取り付けられ、開閉スライドプレート９に設けた湾曲ガイド溝１９と係合している第２ガイドピン１８とで構成されている。
【００２０】
さらに詳しくは、キープレート７は、第１の筐体２の上面に操作部２ａを設置する部分を残して設けた複数のボス取付孔２ｃへ、自身に取り付けた複数の取付ボス部７ａを挿入させて第１の筐体２へ固定されている。このキープレート７に設けた複数の取付孔７ｂには、２本一組と１本から成る第１ガイドピン１３ａ、１３ｂ・１３ｃが前後方向に所定間隔を空けて取り付けられており、この第１ガイドピン１３ａ、１３ｂ・１３ｃを長短一対のガイド長孔８ａ、８ｂと係合させて操作スライドプレート８が左右方向へスライド可能に取り付けられている。尚、第１の筐体２には、第１ガイドピン１３ａ、１３ｂ・１３ｃを逃がす逃がし孔２ｄが設けられているが、必須ではない。さらに、この各第１ガイドピン１３ａ、１３ｂ・１３ｃに取り付けられて操作スライドプレート８の上側にワッシャー１４が、下側にローラ１５がそれぞれ取り付けられ、この各ローラ１５はガイド長孔８ａ、８ｂと係合することにより、第１ガイドピン１３ａ、１３ｂ・１３ｃのスムーズなスライドを促すように構成されている。尚、キープレート７と操作スライドプレート８との間には、操作スライドプレート８に設けた段部８ｃにより、所定の間隙が設けられている。
【００２１】
サブ弾性手段１０は、例えば扁平なスネークスプリングから成り、その一端部１０ａをキープレート７に設けた挿通孔７ｃへ取り付けた取付ピン１６へ旋回可能に取り付けられ、他端部１０ｂは取付ピン１７を介して操作スライドプレート８の取付孔８ｄへ回転可能に取り付けられている。尚、指示記号２ｇのものは、第1ガイドピン１３ｃの逃がし孔である。
【００２２】
第２ガイドピン１８は、操作スライドプレート８に設けた取付孔８ｅへ端部をかしめることによって取り付けられており、そのかしめ端でキープレート７に設けた逃がし長孔７ｆへ逃がしている。この第２ガイドピン１８には、ワッシャー１８ａと湾曲ガイド溝１９へ係合するローラ１８ｂが設けられている。湾曲ガイド溝１９は、湾曲部１９ａとストレート部１９ｂとから形成されている。操作部材６の上面は、開閉装置Ａの携帯機器１への実装時には、とくに図５において示したように、小カバー２５で覆うことになる。
【００２３】
開閉スライド手段５は、キープレート７に設けた取付孔７ｄ、７ｄ・７ｅ、７ｅに取り付けた各々一対ずつの第３ガイドピン２０ａ、２０ｂと第４ガイドピン２１ａ、２１ｂに、スライドガイド溝９ａ、９ｂを係合させた開閉スライドプレート９と、第３ガイドピン２０ａと開閉スライドプレート９との間に弾設したメイン弾性手段１１とから成り、開閉スライドプレート９に大カバー１２を介して第２の筐体３が取り付けられる。スライドガイド溝９ａ、９ｂは開閉スライドプレート９の両側部側に所定間隔を空けて設けられており、第１の筐体２には、第３ガイドピン２０ａ、２０ｂと第４ガイドピン２１ａ、２１ｂを逃がすための逃がし孔２ｅ、２ｅ・２ｆ、２ｆが設けられている。第３ガイドピン２０ａ、２０ｂと第４ガイドピン２１ａ、２１ｂは、キープレート７に設けた取付孔７ｄ、７ｄ・７ｅ、７ｅへ取り付けられている。また、各第３ガイドピン２０ａ、２０ｂと第４ガイドピン２１ａ、２１ｂには、他の第１ガイドピン１３ａ、１３ｂ・１３ｃと同様にワッシャー２２とローラ２３が取り付けられ、開閉スライドプレート９がスムーズにスライドするように構成されている。
【００２４】
メイン弾性手段１１は、例えば弦巻きバネであり、その一端部１１ａは取付ピン２４を介して回転可能に開閉スライドプレート９へ取り付けられており、他端部１１ｂは一対の第３ガイドピン２０ａ、２０ｂのうち第３ガイドピン２０ａの頭部に設けた周溝２０ｃへ旋回可能に取り付けられている。
【００２５】
大カバー１２は、第２の筐体３側に取り付けたところの図示してない回路基板等を保護するものであり、開閉スライドプレート９の上面を覆い、開閉スライドプレート９と共に第２の筐体３の下面に取り付けられている。尚、そのための取付ビスの図示は省略する。
【００２６】
開閉スライドプレート９の略中央部に指示記号９ｃで示したものは、取付ピン２４を取り付けるための取付孔である。また、同じく指示記号９ｄで示した角孔は、第１の筐体２との間を電気的につなぐ図示してないケーブルの挿通孔である。
【００２７】
次に、実施例１に係る開閉装置Ａの作用について説明する。
【００２８】
図１（ａ）に示したように、第１の筐体２に対して第２の筐体３が閉じられて互いが重なり合った状態においては、操作部材６の上面も第２の筐体３で覆われている。図２に示したように、操作スライド手段４の各第１ガイドピン１３ａ、１３ｂ・１３ｃは、ガイド長孔８ａ、８ｂのそれぞれの左端部側の始端部に位置し、第２ガイドピン１８は湾曲ガイド溝１９の湾曲部１９ａの始端部に位置している。さらに、第３ガイドピン２０ａ、２０ｂと第４ガイドピン２１ａ、２１ｂは、それぞれスライドガイド溝９ａ、９ｂの上端部側の始端部に位置している。そして、この閉成状態は、サブ弾性手段１０の補助的弾力と、メイン弾性手段１１が取付ピン２４を介して開閉スライドプレート９を閉成方向へ押していることから閉成状態で安定保持されている。尚、第１ガイドピン１３ａ、１３ｂ・１３ｃと、第３ガイドピン２０ａ、２０ｂ、第４ガイドピン２１ａ、２１ｂをそれぞれ２本ずつにしたのは、操作スライドプレート８と開閉スライドプレート９のスライド時のガタを防止するためである。
【００２９】
この閉成状態から、一方の手（右手）で手持部２ｂを持ち、もう一方の手（左手）で操作スライド手段４の操作部材６をその前後方向から握持して、図１（ｂ）に示したように、図中左方向へ引くと、同時に操作スライドプレート８は、左方向へスライドし、第１ガイドピン１３ａ、１３ｂ・１３ｃがガイド長孔８ａ、８ｂの終端に達することにより停止する。この停止状態はサブ弾性手段１０が変位してその作用方向を操作スライドプレート８が左方向へスライドした状態を保つように押圧力を働かせることによって保たれる。
【００３０】
操作スライドプレート８が左方向へスライドすると、第２ガイドピン１８が湾曲ガイド溝１９の湾曲部１９ａ内を案内され、かつ、第３ガイドピン２０ａ、２０ｂと第４ガイドピン２１ａ、２１ｂが、スライドガイド溝９ａ、９ｂ内を案内されることから、開閉スライドプレート９は開成方向へスライドする力を受け、第２の筐体３を第１の筐体２に対して図１（ｃ）と図３に示したように若干前方へ開くことになる。
【００３１】
そうすると、開閉スライドプレート９の動きに合わせて第３ガイドピン２０ａを支点に旋回したメイン弾性手段１１の作用方向が変わり、その弾力により取付ピン２４を介して開閉スライドプレート９を開成方向へ押すので、当該開閉スライドプレート９は自動的に開成方向へスライドして第２の筐体３を第１の筐体２に対して開くことになる。
【００３２】
即ち、図１（ｄ）と図４に示したように、第２ガイドピン１８と第３・第４ガイドピン２０ａ、２０ｂ・２１ａ、２１ｂに開閉スライドプレート９の湾曲ガイド溝１９、及びスライドガイド溝９ａ、９ｂが案内されて、当該開閉スライドプレート９は第２ガイドピン１８と第３・第４ガイドピン２０ａ、２０ｂ・２１ａ、２１ｂがその後端部に達するまで湾曲ガイド溝１９、及びスライドガイド溝９ａ、９ｂ内をスライドすることから、第２の筐体３が第１の筐体２に対して、その操作部２ａの操作が可能となるまで開かれることになる。
【００３３】
第２の筐体３の全開成位置においては、とくに図４に示したように、メイン弾性手段１１が取付ピン２４を介して開閉スライドプレート９を開成方向へ押しているので、第２の筐体３は自然に閉じられることなく開成状態を維持する。
【００３４】
尚、第２の筐体３の開成操作は、操作スライド手段４を用いなくとも行うことができる。この場合には、第２の筐体３を開成方向へ押すと、第２ガイドピン１８によって開閉スライドプレート９は湾曲ガイド溝１９の湾曲部１９ａに案内されて、操作スライドプレート８を図中左方向へスライドさせつつ開かれ、第２ガイドピン１８が湾曲部１９ａからストレート部１９ｂの位置に来ると、メイン弾性手段１１の弾力により、開閉スライドプレート９が開成方向へ押されてスライドし、第２の筐体３は第１の筐体２に対して自動的に開かれることになる。
【００３５】
第２の筐体３を第１の筐体２に対して全開状態にした後閉じる際には、第２の筐体３の開成側端部を手で元位置の方向へ押すと、先ほどの開成時とは逆の動作で閉じられ、所定の位置まで、即ち、第２ガイドピン１８が湾曲ガイド溝１９の湾曲部１９ａへ来ると、操作スライド手段４の操作スライドプレート８が図中右方向へ引張られて操作部材６と共に右方向へスライドして、第２の筐体３の閉成操作と共に元位置へ戻る。第２の筐体３が元の閉成位置に戻る際には、第２ガイドピン１８が湾曲ガイド溝１９の湾曲部１９ａに到達した位置から、サブ弾性手段１０とメイン弾性手段１１の作用方向が変わり、第２の筐体３はサブ弾性手段１０とメイン弾性手段１１の弾力により自動的に元位置に戻ることになる。
【００３６】
元位置の閉成状態に戻った第２の筐体３は、メイン弾性手段１１の弾力と、サブ弾性手段１０の弾力のアシストにより閉成状態を安定的に保つことになる。
【００３７】
即ち、サブ弾性手段１０は、操作スライドプレート８を介して操作部材６を操作前の状態と操作後の状態を安定的に保つようにその作用方向を変化させるが、同時に開閉スライドプレート９の閉成位置と開成位置において、その姿勢を安定的に保てるよう、メイン弾性手段１１をアシストする機能を果す。
【実施例２】
【００３８】
図１１〜図１８は、本発明に係る開閉装置の他の実施例を示す。この実施例２に係る携帯機器３０もポケット型コンピュータであるが、このものに限定されないことは、実施例１の場合と同じである。実施例２に係る開閉装置Ｂは、上面に操作部３３ａを有する第１の筐体３３と、上面に表示部３４ａを有する第２の筐体３４とを、相対的に水平方向へスライド可能に連結させ前記第２の筐体３４で前記第１の筐体３３の上面を覆う閉成状態と、前記第１の筐体３３の上面を露出させる開成状態とを作り出す開閉装置であって、前記第１の筐体３３に対してスライド可能に取り付けた操作スライド手段３１と、前記第２の筐体３４の下面に取り付けられ前記操作スライド手段３１のスライド操作を契機として、その開成方向へスライドさせられる開閉スライド手段３２とで構成され、また、そのような開閉装置Ｂを用いた携帯機器３０とすることができる。
【００３９】
この実施例２に係る開閉装置Ｂは、操作スライド手段３１と開閉スライド手段３２を有し、第２の筐体３４がその表示部３４ａに手を触れることなく、操作スライド手段３１を操作することにより、当該第２の筐体３４を第１の筐体３３に対して開くことができ、開いた第２の筐体３４の開成端側を手で押すことにより閉じることができる点で、実施例１の開閉装置Ａと同じである。
【００４０】
しかしながら、操作スライド手段３１と開閉スライド手段３２の具体的な構成が異なっている。即ち、操作スライド手段３１の操作スライドプレート３５は、第１の筐体３３に取り付けたキープレート３６より立設した一対の第１ガイドピン３７ａ、３７ｂを１本のガイド長孔３５ａとで係合させており、また、操作スライドプレート３５には、実施例１のもののようにキープレートと操作スライドプレートとの間に弾設したサブ弾性手段を有してはいない。開閉スライド手段３２の湾曲ガイド溝３８は開閉スライドプレート３９の略中央部に設けられており、スライドガイド溝３９ａ、３９ｂは開閉スライドプレート３９の両側部側に設けられている。尚、操作スライドプレート３５には、第３ガイドピン４７ｂを逃がすための逃がし長孔３５ｂが設けられている。また、実施例と同じ理由で段部３５ｃが設けられ、指示記号３５ｄのものは、第２ガイドピン４１を取り付ける取付孔である。また、キープレート３６に指示記号３６ａ、４９、５０で示したものは、第1ガイドピン３７ａ、３７ｂと第３ガイドピン４７ａ、４７ｂ及び第４ガイドピン４８ａ、４８ｂの取り付け孔であり、第1の筐体３３に指示記号３３ｅで示されたものは、それぞれ第1ガイドピン３７ａ、３７ｂと第３ガイドピン４７ａ、４７ｂ及び第４ガイドピン４８ａ、４８ｂの逃がし孔である。
【００４１】
弾性手段は、大小のスプリングが用いられており、大型のメイン弾性手段４０は、弦巻バネを複数つなげた形状のもので、一端部４０ａを操作スライドプレート３５に取り付けられて湾曲ガイド溝３８と係合している第２ガイドピン４１に回転かつ旋回可能に取り付け、他端部４０ｂを開閉スライドプレート３９に取り付けた固定ピン４２へ回転かつ旋回可能に取り付けられている。そして、この大型のメイン弾性手段４０がもっぱら開閉スライドプレート３９にスライド付勢力を与えるものである。
【００４２】
第２ガイドピン４１にはまた、もう一つの弦巻バネからなる小型の弾性手段４３の一端部４３ａが回転かつ旋回可能に取り付けられており、この弾性手段４３の他端部４３ｂは、開閉スライドプレート３９に設けたケーブル挿通用の角孔３９ｃの回りに開閉可能に取り付けられたシャッターカバー４４に取付ピン４４ｃを介して取り付けられている。このシャッターカバー４４は、平面略Ｕ字形状のもので両側部に設けたガイド溝４４ａ、４４ｂを開閉スライドプレート３９に取り付けたガイドピン５２ａ、５２ｂに係合させている。尚、とくに図１４において示したように、第１ガイドピン３７ａ、３７ｂ、第２ガイドピン４１、第３ガイドピン４７ａ、４７ｂ、及び第４ガイドピン４８ａ、４８ｂには、実施例１で示したように、ワッシャー３７ｃ、３７ｄ・４１ｂ・４７ｃ、４７ｄ、及び４８ｃ、４８ｄとローラ３７ｅ、３７ｆ・４１ｃ・４７ｅ、４７ｆ・４８ｅ、４８ｆが取り付けられている。その作用は実施例１のものと同じである。また、操作部材４６は、第１の筐体３３のガイド部３３ｃへ実施例１と同じように左右方向へスライド可能にとりつけられ、その上面には実施例１と同じように小カバー４６ａが取り付けられている。
さらに、第１の筐体３３には、実施例１と同じようにキープレート３６に取り付けたところの、十分に図示してない複数の取付ボス部３６ｂを取り付けるボス取付孔３３ｄが設けられている。
【００４３】
以下にこの実施例２に係る開閉装置Ｂの作用について説明する。
【００４４】
大型のメイン弾性手段４０は、とくに図１１に示したように、第２の筐体３４が閉じられた状態において、その１側部をストッパーピン４５に当接させることにより平面角リング状に圧縮され、開閉スライドプレート３９を第２の筐体３４の開成方向へスライド付勢させているが、とくに図１３に示したように、第２ガイドピン４１が、湾曲ガイド溝３８の湾曲部３８ａの始端部に設けた凹部３８ｃと係合しているため、開閉スライドプレート３９は、開成方向へスライドするのを規制されている。また、この構成により、第２の筐体３４を開成方向へ手動で押しても、第２ガイドピン４１が凹部３８ｃより脱出することがないので、手動では開かれない。
【００４５】
この実施例２に係る開閉装置Ｂにおいては、第２の筐体３４の第１の筐体３３に対する開成動作は、操作スライド手段３１の操作部材４６を図中左側へ引くことによって可能であり、この操作によって第２ガイドピン４１は湾曲ガイド溝３８の凹部３８ｃより離脱して湾曲部３８ａをスライドガイドすることにより、開閉スライドプレート３９が開成方向へスライドする。第２ガイドピン４１が、湾曲ガイド溝３８内を湾曲部３８ａよりストレート部３８ｂへスライドガイドすることにより、大型のメイン弾性手段４０の作用方向が変り、その弾力により開閉スライドプレート３９がスライドして第２の筐体３４を第１の筐体３３に対して自動的に開くことになる。そして、第３ガイドピン４７ａ、４７ｂと第４ガイドピン４８ａ、４８ｂが、開閉スライドプレート３９のスライドガイド溝３９ａ、３９ｂの終端部に当接するまで開かれて停止する。この開成状態を維持するために開閉スライドプレート３９に押圧バネ部材５１が取り付けられている。この押圧バネ部材５１は、図示してないが、第４ガイドピン４８ｂの側にも設けることができることは言うまでもない。即ち、押圧バネ部材５１の弾性片５１ａが第３ガイドピン４７ｂに当接して開閉スライドプレート３９を開成方向へ押しているので、第２の筐体３４の開成状態は維持される。また、この押圧バネ部材５１は、開閉スライドプレート３９と、操作スライドプレート３５との間の導通を行なう役目も果たしている。
【００４６】
開閉スライドプレート３９が、第２の筐体３４の開成方向へスライドする際には、弾性手段４３がシャッターカバー４４をスライドさせて第２の筐体３４の裏側より角孔３９ｃが見えないようにするものである。このシャッターカバー４４は、開いた第２の筐体３４を閉じる際には、逆方向へスライドして角孔３９ｃに対する閉塞状態を解き、図示してないケーブルの邪魔とならないように工夫されている。
【００４７】
以上詳細に説明したところから解るように、この実施例２の開閉装置Ｂは、実施例１の開閉装置Ａと較べて、実施例１のサブ弾性手段を省略でき、さらに、湾曲ガイド溝３８を開閉スライドプレート３９の中央部へ持って来ることにより、大型のメイン弾性手段４０に示されたようにスプリング形状を変えることが可能となり、このことにより、小型化を図ることができている。また、第２の筐体３４の開成操作は、操作スライド手段３１の操作部材４６による操作の場合に限られ、手動で第２の筐体３４を開成することはできないように構成されてもいる。
【００４８】
尚、上記実施例１と２のいずれにおいても、操作部材６と４６は、第２の筐体３と３４の閉成時には機能しないように構成されているが、湾曲ガイド溝１９、３８の形状を、例えば傾斜形状、或はＳ字形状にするなどした場合には、操作部材６や４６で第２の筐体３と３４の閉成時に機能するように構成することが可能である。
【産業上の利用可能性】
【００４９】
本発明は以上のように構成したので、第１の筐体と第２の筐体を互いに重ね合わせた状態から、操作部材を操作することで、第２の筐体の表示部に手を触れることなく第２の筐体を、水平方向へスライドさせて第１の筐体の上面の操作部を露出させることができるので、とくに、ポケット型コンピュータ、電子辞書、ゲーム機、携帯電話機等の携帯機器の第２の筐体の上面に表示部を設けたもののスライド式の開閉装置として、好適に用いられるものである。
【符号の説明】
【００５０】
Ａ、Ｂ  開閉装置
１、３０  携帯機器
２、３３  第１の筐体
２ａ、３３ａ  操作部
２ｂ  手持部
２ｃ  ボス取付孔
２ｄ、２ｅ、２ｆ、２ｇ、７ｂ、７ｄ、７ｅ、８ｄ、８ｅ、９ｃ  取付孔
２ｈ  ガイド部
３、３４  第２の筐体
３ａ、３４ａ  表示部
４、３１  操作スライド手段
５、３２  開閉スライド手段
６、４６  操作部材
７、３６  キープレート
７ａ  取付ボス部
７ｃ  挿通孔
８、３５  操作スライドプレート
８ａ  ガイド長孔（長）
８ｂ  ガイド長孔（短）
８ｃ  段部
９、３９  開閉スライドプレート
９ａ、９ｂ、３９ａ、３９ｂ  スライドガイド溝
９ｄ、３９ｃ  角孔
１０  サブ弾性手段
１０ａ、１１ａ・４０ａ、４３a  一端部
１０ｂ、１１ｂ・４０ｂ、４３ｂ  他端部
１１  メイン弾性手段
１２  大カバー
１３ａ、１３ｂ、１３ｃ、３７ａ、３７ｂ  第１ガイドピン
１４、２２  ワッシャー
１５、２３  ローラ
１６、１７、２４  取付ピン
１８、４１  第２ガイドピン
１９、３８  湾曲ガイド溝
１９ａ、３８ａ  湾曲部
１９ｂ、３８ｂ  ストレート部
２０ａ、２０ｂ、４７ａ、４７ｂ  第３ガイドピン
２０ｃ  周溝
２１ａ、２１ｂ、４８ａ、４８ｂ  第４ガイドピン
２５  小カバー
３５ａ  ガイド長孔
４０  大型のメイン弾性手段
４０ａ、４３ａ  一端部
４０ｂ、４３ｂ  他端部
４２  固定ピン
４３  小型の弾性手段
４４  シャッターカバー
４５  ストッパーピン
５１  押圧バネ部材
５１ａ  弾性片
５２ａ、５２ｂ  ガイドピン  
【図１（ａ）】
2011004179.tif 000003
【図１（ｂ）】
2011004179.tif 000004
【図１（ｃ）】
2011004179.tif 000005
【図１（ｄ）】
2011004179.tif 000006
【図２】
2011004179.tif 000007
【図３】
2011004179.tif 000008
【図４】
2011004179.tif 000009
【図５】
2011004179.tif 000010
【図６】
2011004179.tif 000011
【図７】
2011004179.tif 000012
【図８】
2011004179.tif 000013
【図９】
2011004179.tif 000014
【図１０】
2011004179.tif 000015
【図１１】
2011004179.tif 000016
【図１２】
2011004179.tif 000017
【図１３】
2011004179.tif 000018
【図１４】
2011004179.tif 000019
【図１５】
2011004179.tif 000020
【図１６】
2011004179.tif 000021
【図１７】
2011004179.tif 000022
【図１８】
2011004179.tif 000023